(57)【要約】      （修正有）【課題】上下の台板を備え、大小の物品も分別して積載可能であり、小さな物品でも荷崩れをしにくくするとともに、手押しハンドルを折りたたんでコンパクトにし、自動車等への搭載搬送がし易く、優れた携帯性を備えた運搬用台車を提供する。【解決手段】下部台板２及び上部台板３を備え、手押しハンドル５は、取り付け金具１５によって上部台板３に取り付けられており、取り付け金具１５は、手押しハンドル５の回動をロックして起立状態を維持するとともに、ロックを解除して折りたたみ状態にするロックバー１８を備えており、下部台板２と上部台板３の間隔Ｄは、手押しハンドル５の脚部１１の長手方向の長さより小さく、下部台板２上に、収納ケース３０が取り付けられている。【選択図】図５
0003213355.tif 000002
【実用新案登録請求の範囲】
【請求項１】
物品をそれぞれ積載可能な下部台板及び上部台板と、下部台板に取り付けられたキャスタと、手押しハンドルと、を備えた運搬用台車であって、
上部台板は、複数本の支柱を介して下部台板の上方に所定の間隔をおいて取り付けられており、
手押しハンドルは、取り付け金具によって起立及び折りたたみ自在に上部台板に取り付けられており、上部台板に取り付けられる左右の脚部と、左右の脚部を橋絡し使用者が把持する把持部とを備え、左右の脚部の長手方向の長さは、下部台板と上部台板の上下方向の間隔より大きく、下部台板における台板の進行方向の長さより小さい構成であり、
取り付け金具は、本体であるブラッケットと、ブラケットに固定され手押しハンドルを回動可能に取り付ける枢軸と、ブラケットに回動可能に取り付けられた手押しハンドルの回動をロックするロック部材と、を備えていることを特徴とする運搬用台車。
【請求項２】
下部台板上に、引き出し付き又は開閉扉付きの収納ケースが固定されている構成であることを特徴とする請求項１に記載の運搬用台車。
【請求項３】
収納ケースは、収納ケースの底板に形成されている凹部において、固定具によって、固定具が凹部から上方に突出しない状態で、下部台板に固定されている構成であることを特徴とする請求項２に記載の運搬用台車。
【請求項４】
下部台板と上部台板の上下方向の間隔は、２０〜４０ｃｍであることを特徴とする請求項１〜３のいずれかに記載の運搬用台車。       
【請求項５】
下部台板と上部台板の間に、１又は２以上の中間台板が設けられている構成であることを特徴とする請求項１に記載の運搬用台車。
【請求項６】
ロック部材は、ブラケットに形成された溝内で該溝の長手方向の一方にバネで常時付勢して手押しハンドルを起立した使用状態にロックするとともに、該溝の長手方向の他方にバネに抗して移動することで、ロックを解除して上部台板上に臥せて不使用状態にする構成であることを特徴とする請求項１〜５のいずれかに記載の運搬用台車。
【考案の詳細な説明】
【技術分野】
【０００１】
本考案は、運搬用台車に関し、特に、物品を積載可能な下部台板と上部台板を備え、ハンドルが上部台板上に、折りたたみ自在に設けられており、下部台板と上部台板の間に、引き出しが設置可能な運搬用台車に関する。
【背景技術】
【０００２】
従来、上下の載置台を備えた運搬用台車は知られている（特許文献１参照）。この運搬用台車は、４本の支柱パイプで上下に結合された上段梁部と下段梁部にそれぞれ上下の載置台が支持されており、上段梁部の前後にはそれぞれ前後方向又は上方に突出した把持用パイプが設けられている。
【０００３】
また、従来、手押し運搬車において、ハンドルを荷台上に立設した状態に維持し、ハンドルを荷台の表面方向に向かって擺動させて折り畳むことが可能である構成が知られている（特許文献２、３参照）。
【先行技術文献】
【特許文献】
【０００４】
【特許文献１】特開２００１−０８８７０７号公報
【特許文献２】特開２００１−２５３３２８号公報
【特許文献３】特開２００６−０７６４２８号公報
【考案の概要】
【考案が解決しようとする課題】
【０００５】
近年、趣味として屋外のレジャー、例えば、釣り、テニス、キャンピング等が益々盛んとなっているが、それらに使用するいろいろな道具を運搬する場合に、比較的コンパクトな運搬用台車を使用する場合がある。そのような場合、また、いろいろな道具を、複数の収納箱に分別して収納し、運搬用台車に積載することが多い。
【０００６】
ところが、複数の収納箱を、特許文献２に示すような一つの台板しか備えていない運搬用台車に上下方向積むと、荷崩れが生じやすく運搬が厄介となる。そこで、上下又は多段に台板を備えた運搬用台車に積むと、上下方向に積んだことによる荷崩れの問題は、若干なりとも解消可能となる。
【０００７】
しかし、運搬用台車を自動車に積載してレジャーの実施場所に行く際に、特許文献１に示すように、上下に台板を備えた運搬用台車は、不使用時に、運搬用台車自体を収納したり自動車に搭載する場合、嵩張り、収納、搭載スペースが大きくなってしまい、収納、搭載等が困難である。
【０００８】
特に、特許文献１に示すように、特に、把持用パイプが上段梁部の前後に固定されて外側に張り出していると、嵩張りが大きくなり、収納、搭載等が困難となる。
【０００９】
また、特許文献１に示すように、上載置台と下載置台の間隔が比較的大きく上載置台の高さが高いと、運搬用台車を自動車に積載しにくくなるだけでなく、上載置台と下載置台の間、要するに下載置台に積載する物品を上方に積み重ねる場合が多くなり、荷崩れが生じやすくなる。
【００１０】
本考案は、上記従来の問題を解決することを目的とするものであり、上下の載置台を備えた運搬用台車において、上部台板に取り付けるハンドルを自動車等への積載時に邪魔とならないようにすることを課題とする。
【００１１】
さらに、本考案は、上下の載置台を設けることによる物品の荷崩れがしにくくなる、という特性をより一層発揮させ、しかも自動車等へ積載し易いようにコンパクト化する構成を実現することを課題とする。
【００１２】
これらの課題を達成するための解決手段は、後記する「課題を解決するための手段」、「考案を実施するための形態」等で詳細に説明するが、そのポイントは、上部載置台に取り付けるハンドルは折りたたみ自在な構成とし、上部載置台は、従来の上下の載置台を設けた運搬用台車の上載置台の高さに比べてきわめて低くし、その替わり上部載置台に取り付けるハンドルの脚部は、使用者が通常使用できる程度の十分な長さとすることで、非使用時に、ハンドルを折りたたんだ際の運搬用台車の運搬用台車の上下方向の厚みを、全体的に小さくする構成とすることである。
【課題を解決するための手段】
【００１３】
本考案は上記課題を解決するために、物品をそれぞれ積載可能な下部台板及び上部台板と、下部台板に取り付けられたキャスタと、手押しハンドルと、を備えた運搬用台車であって、上部台板は、複数本の支柱を介して下部台板の上方に所定の間隔をおいて取り付けられており、手押しハンドルは、取り付け金具によって起立及び折りたたみ自在に上部台板に取り付けられており、上部台板に取り付けられる左右の脚部と、左右の脚部を橋絡し使用者が把持する把持部とを備え、左右の脚部の長手方向の長さは、下部台板と上部台板の上下方向の間隔より大きく、下部台板における台板の進行方向の長さより小さい構成であり、取り付け金具は、本体であるブラッケットと、ブラケットに固定され手押しハンドルを回動可能に取り付ける枢軸と、ブラケットに回動可能に取り付けられた手押しハンドルの回動をロックするロック部材と、を備えていることを特徴とする運搬用台車。を提供する。
【００１４】
下部台板上に、引き出し付き又は開閉扉付きの収納ケースが固定されている構成とすることが好ましい。
【００１５】
収納ケースは、収納ケースの底板に形成されている凹部において、固定具によって、固定具が凹部から上方に突出しない状態で、下部台板に固定されている構成とすることが好ましい。
【００１６】
下部台板と上部台板の上下方向の間隔は、２０〜４０ｃｍである構成とすることが好ましい。       
【００１７】
下部台板と上部台板の間に、１又は２以上の中間台板が設けられている構成とすることが好ましい。
【００１８】
ロック部材は、ブラケットに形成された溝内で該溝の長手方向の一方にバネで常時付勢して手押しハンドルを起立した使用状態にロックするとともに、該溝の長手方向の他方にバネに抗して移動することで、ロックを解除して上部台板上に臥せて不使用状態にする構成とすることが好ましい。
【考案の効果】
【００１９】
本考案によれば、運搬用台車は次のような効果が生じる。
（１）下部台板及び上部台板を備えた運搬用台車において、上部台板の位置をきわめて低くくして、手押しハンドルを上部台板に起立及び折りたたみ自在に取り付けたので、非使用時に手押しハンドルを折りたたむと、運搬用台車全体がコンパクトになり、運搬用台車自体の携帯性が向上する。
【００２０】
（２）上部台板の取り付け位置を低くして下部台板及び上部台板の間のスペースを小さくすることにより、小さな物品を下部台板上に積載し、大きな物品を上部台板上に積載し、物品を分別して積載することができ、小さな物品の荷崩れを少なくすることが可能となる。
【００２１】
（３）下部台板及び上部台板の間のスペースであって、下部台板上に引き出し付き又は扉付きの収納ケースを取り付ける構成とすれば、小さな物品を収納ケース内に分別して収納でき、また、運搬用台車の使用時、非使用時に拘わらず、小さな物品を収納ケース内に常時収納できるので、運搬用台車の使用に際してあらためて、分別して積載するような手間が省け、しかも収納状態のまま、運搬用台車自体を、自動車等で運搬することが可能となる。
【図面の簡単な説明】
【００２２】
【図１】本考案に係る運搬用台車の実施例を示す図であり、（ａ）は側面図であり、（ｂ）は斜視図である。
【図２】上記実施例の運搬用台車の手押しハンドルを示す図であり、（ａ）は側面図であり、（ｂ）は運搬用台車の後方から見た図である。
【図３】上記実施例の運搬用台車の手押しハンドルを説明する図であり、（ａ）、（ｂ）は、それぞれ図２（ａ）、（ｂ）の要部拡大図であり、（ｃ）は運搬用台車において手押しハンドルを折りたたんだ状態を示す側面図である。
【図４】上記実施例の運搬用台車において、下部台板上に引き出し付きの収納ケースを取り付けた構成を説明する図であり、（ａ）は運搬用台車を側方から見た図であり、（ｂ）は運搬用台車への引き出し付きの収納ケースの取り付け構造を示す要部断面図である。
【図５】上記実施例の運搬用台車において、下部台板上に引き出し付きの収納ケースを取り付けた構成を説明する図であり、（ａ）は引き出しを開いた状態を示す斜視図であり、（ｂ）は引き出しを閉じた状態を示す斜視図である。
【図６】上記実施例の運搬用台車において、下部台板上に引き出し付きの収納ケースを取り付けた構成を説明する図であり、（ａ）は手押しハンドルを折りたたんだ状態を示す側方から見た図であり、（ｂ）は引き出し付きの収納ケースのいろいろな取り付け及び引き出し方向を説明する図である。
【考案を実施するための形態】
【００２３】
本考案に係る運搬用台車を実施するための形態を実施例に基づき図面を参照して、以下説明する。
【００２４】
なお、本明細書及び本考案では、運搬用台車の通常の使用時において、進行方向に向って前側の方向を「前方」と言い、後側の方向を「後方」と言い、左右側の方向をそれぞれ「左右方向」と言う。また、運搬用台車の使用時及び非使用時を、それぞれ単に「使用時」及び「非使用時」と言う。
【実施例】
【００２５】
本考案に係る運搬用台車の実施例を、図１〜図６において説明する。本考案に係る運搬用台車１は、物品をそれぞれ積載可能な下部台板２及び上部台板３と、下部台板２に取り付けられたキャスタ４と、手押しハンドル５と、を備えている。
【００２６】
下部台板２の４隅には、それぞれ支柱１０が起立して固定して設けられており（図４（ｂ）参照）、これら支柱１０の上端部に上部台板３が、下部台板２と平行して水平に固定して設けられている。本明細書及び本考案では、「上部台板」は、最上部の台板を言い、即ち、上部台板３の上には台板は設けられていない。
【００２７】
ところで、従来知られている上下に台板を備えた運搬用台車は、その下部台板と上部台板の上下方向の間隔Ｄは、およそ４５〜８０ｃｍ程度である。このような寸法とすることにより、下部台板２についても、若干大きな物品を上下方向に十分の余裕をもって積載可能としている。
【００２８】
これに対して、本考案の下部台板２と上部台板３の上下方向の間隔Ｄは、従来の上下に台板を備えた運搬用台車に比べて、半分程度で２０〜４０ｃｍ程度に、小さくコンパクトとした構成に特徴がある。
【００２９】
このように、下部台板２と上部台板３の上下方向の間隔Ｄを従来の運搬用台車１に比べて小さくコンパクトとした構成を換言すると、下部台板２と上部台板３の上下方向の間隔Ｄを、手押しハンドル５の脚部の長手方向の長さに比べて小さくした構成であり、より限定するのであれば、手押しハンドル５の脚部１１の長手方向の長さの１／２以下にした構成である。
【００３０】
さらに、考案の下部台板２と上部台板３の上下方向の間隔Ｄについて数値範囲で規定すると、後記するが、下部台板２上に取り付ける収納ケースと高さ寸法との関係では、市販の２０〜４０ｃｍ程度の高さ寸法を有する収納ケースを固定して取り付けられる程度の大きさである。         
【００３１】
なお、下部台板２と上部台板３の上下方向の間隔Ｄは、調整可能な構成としてもよい。例えば、支柱１０（本実施例では４本の支柱１０）を、長さの異なる別の支柱で取り替えることで調整してもよい。
【００３２】
また、支柱１０自体の長さを調節可能な構成としてもよい。例えば、支柱１０を入れ子構造とし、かつ調節した長さで固定可能な構成（実公昭４８−４９７４号公報、実公昭４７−２２０７号公報参照）としてもよい。
【００３３】
手押しハンドル５は、図２（ａ）、（ｂ）に示すように、左右の脚部１１と、左右の脚部１１を橋絡し使用者が把持する把持部１２と、を備えている。左右の脚部１１は、取り付け金具１５によって上部台板３に取り付けられている。これによって、手押しハンドル５は、後記するが、上部台板３上に、使用時には起立し、非使用時には折りたたみ自在となるように取り付けられている。
【００３４】
特許文献２、３に示すように、従来、運搬用台車１の手押しハンドル５は、非使用時には、台板上に臥せるように折りたたむ構成とすることは知られている。
【００３５】
しかしながら、本考案の運搬用台車１は、手押しハンドル５は、使用時には、図１に示すように、上部台板３上に起立可能に取り付けられており、非使用時には、図３（ｃ）に示すように、特に、「上部台板３上に臥せるように折りたたむことのできる構成」とした点が特徴である。
【００３６】
このように、上部台板３に取り付けられた手押しハンドル５を上部台板３に臥せるように折りたたみ自在とする構成と、前記のとおり下部台板２と上部台板３の上下方向の間隔Ｄを小さくコンパクトにした構成と、が相乗的に機能し、非使用時に、運搬用台車１の上下方向の寸法（運搬用台車１の全体的な厚み）はコンパクトとなり、手押しハンドル５自体の携帯性が向上する。                               
【００３７】
しかも、使用時には、下部台板２に小さな物品を、上部台板３に大きな物品をそれぞれ分別して効率的に積載することで分別積載性が向上する。
【００３８】
手押しハンドル５の折りたたみ構造自体は、特許文献２、３と同様の構成である。即ち、取り付け金具１５は、図２（ａ）、（ｂ）、図３（ａ）、（ｂ）に示すように、本体であるブラケット１６と、ブラケット１６に固定され手押しハンドル５を回動可能に取り付ける枢軸１７と、ブラケット１６に移動可能に取り付けられ手押しハンドル５の回動をロックするロック部材と、を備えている。
【００３９】
ブラケット１６は、略Ｕ字型に形成されており、その後方が開放されており、その前方は係止板１９で閉じられており、その左右側壁２０には、図３（ａ）、（ｂ）に示すように、上方に向けて斜め前方伸びる傾斜溝２１が形成されている。
【００４０】
ロック部材は、本実施例ではロックバー１８であり、その両端が、図３（ａ）、（ｂ）に示すように、それぞれ左右の取り付け金具１５におけるブラケット１６の傾斜溝２１内で長手方向に移動可能に挿通されている。
【００４１】
さらに、ロックバー１８は、その両端が、図２（ｂ）、図３（ｂ）に示すように、傾斜溝２１に沿って上方かつ前方に向けて引っ張りバネ２６で常時付勢されており、引っ張りバネ２６に抗して、ロックバー１８を傾斜溝２１に沿って下方かつ後方に移動することが可能である。
【００４２】
以上、本考案の運搬用台車１の特徴的な構成を実施例において説明したが、このような特徴的な構成を備え、さらに、下部台板２上に収納ケース３０を取り付けて成る運搬用台車１について、図４〜図６に基づいて説明する。
【００４３】
図４〜図６に示す運搬用台車１は、図１に示す運搬用台車１において、図４（ａ）、図５（ａ）、（ｂ）に示すように、その下部台板２と上部台板３との間のスペースにおいて下部台板２上に、収納ケース３０が取り付けられている。
【００４４】
本実施例では、収納ケース３０として引き出し付きの収納ケースとして説明する。引き出し付きの収納ケース３０としては、市販されている各種の収納ケース（例えば、プラスチック製の衣装ケース等）でもよい。      
【００４５】
収納ケース３０の下部台板２への取り付け構造は、図４（ｂ）に示すように、収納ケース３０の底部３１に形成された凹部（凹溝等）３２内の位置において、リベット、ボルト等の固定具３６で、収納ケース３０の底部３１を、下部台板２へ固定する構成である。
【００４６】
このような取り付け構造とすることにより、リベット、ボルト等の固定具３６は、その頭部３７が若干上方に突出していても、凹部３２内に退避しており、引き出し４０の底部４１と干渉（接触）することがない。従って、収納ケース３０の引き出し４０は、収納ケース３０の底部３１上でスムースにスライド可能となる。             
【００４７】
収納ケース３０の下部台板２への取り付け方向によって、引き出し４０の引き出し方向は異なってくる。収納ケース３０を前後２つ取り付けた運搬用台車１（図４（ａ）、図５（ａ）、（ｂ）参照）では、前後の収納ケース３０は、それぞれその引き出し方向が左右いずれの方向に向かうように取り付けてもよい。
【００４８】
例えば、図５（ａ）、（ｂ）、図６（ｂ）に示すように、前後の収納ケース３０は、それぞれ引き出し４０が同じ方向（図６（ｂ）では実線に示すように左方向又は２点鎖線に示すように右方向）に引き出し可能となるように、下部台板２へ取り付けてもよい。
【００４９】
また、図示はしないが、前後の収納ケース３０は、それぞれ引き出し４０の引き出し方向を互いに異なる方向（例えば、図６（ｂ）において、前側の引き出し４０は実線方向、後側の引き出し４０は２点鎖線の方向）となるように、下部台板２へ取り付けてもよい。
【００５０】
さらに、図示はしないが、引き出し付きの収納ケースを１つだけ下部台板２に取り付ける構成において、前後方向のいずれかに向けて取り付けてもよい。また、図示はしないが、複数の引き出し付きの収納ケースを、それぞれ前後左右方向のいずれかに向けて取り付けてもよい。
【００５１】
なお、本実施例では、図４（ａ）、図５（ａ）、（ｂ）に示すように、同じ大きさの引き出し付きの収納ケース３０を前後２つ取り付けた構成を説明したが、収納ケースの数や種類（寸法の大小についての種類、引き出し付きか開閉扉付きかの種類等）の組み合わせは、下部台板２上のスペース（上下台板間のスペース）に、うまく合えば、いろいろな態様でもよい。
【００５２】
また、引き出し付きの収納ケースは、多段の引き出しを備えた構成でもよい。さらに、前述のとおり、本実施例では、収納ケースとして引き出し付きの収納ケース３０を例に挙げて説明したが、収納ケースは引き出し付きでなくても、手前側の開口に開閉可能な扉のついた開閉扉付き収納ケースであってもよい。
【００５３】
（作用）
以上の構成から成る実施例の運搬用台車１の作用について、以下説明する。運搬用台車１を使用する際には、図１（ａ）、（ｂ）、図２（ａ）、（ｂ）及び図４（ａ）、図５（ａ）、（ｂ）に示すように、手押しハンドル５を起立して使用状態とする。
【００５４】
手押しハンドル５は、枢軸１７を中心に回動可能であるが、起立した使用状態では、図２（ａ）及び図３（ａ）に示すように、係止板１９によって後方への回動は規制されており、引っ張りバネ２６で上方に付勢されたロックバー１８によって前方への回動もロックされ、回動は不可能であり起立状態が維持される。
【００５５】
下部台板２と上部台板３の上下方向の間隔Ｄは、従来の運搬用台車に比較してかなり小さいので、使用時に、利用者は、下部台板２上には小さな寸法の物品を積載し、上部台板３には大きな寸法の物品を運搬することで、物品を大小で分別して積載することが可能となる。
【００５６】
これによって、運搬用台車１の下部台板２及び上部台板３の積載スペースをより有効に活用することが可能となり、小さな物品を積み重ねて積載するようなことが少なくなり、小さな物品を積み重ねて積載する場合に生じやすい荷崩れも、比較的少なくなる。
【００５７】
特に、図４〜図６に示すように、下部台板２の上に収納ケース３０を取り付けた運搬用台車１では、小さな物品を収納ケース３０に分別して収納することが可能であり、より有効な収納スペースの活用が可能となり、また、小さい物品を台板上に直に積載した場合の荷崩れや落下を防止することが可能となる。
【００５８】
運搬用台車１を非使用時に際して、手押しハンドル５を折りたたむ場合は、図３（ａ）、（ｂ）において、ロックバー１８を引っ張りバネ２６に抗して傾斜溝２１に沿って下方かつ後方に移動することで、ロックバー１８のロックを解除し、手押しハンドル５を前方に回動して、図３（ｃ）、図６（ａ）に示すように、上部台板３上に臥せるようにして折りたたむことが可能となる。
【００５９】
本考案の運搬用台車１は、下部台板２と上部台板３を備え、使用時には物品の大小を分別して積載でき、小さい物品は下部台板２に積載し、荷崩れを防止し易くなる等、積載性が高い。
【００６０】
しかも、下部台板２と上部台板３の間隔Ｄを小さくコンパクトにした構成と、手押しハンドル５を上部台板３に取り付け、上部台板３上に臥せるようにして折りたたみ自在とする構成と、が相乗的に機能し、非使用時に手押しハンドル５を折りたたむことで、運搬用台車１全体の上下方向の寸法（厚み）が、従来の台車に比べて格段と小さく、コンパクトとなり、自動車に積載し運搬し易くなる等、手押しハンドル５自体の携帯性を向上させることが可能となる。
【００６１】
特に、図４〜図６に示すように、下部台板２の上に収納ケース３０を取り付けた運搬用台車１では、小さな物品（例えば、釣りの場合は釣り針、擬似えさ等の釣り具、テニスの場合はボール、タオル等の小物等）は収納ケース３０に収納し、比較的大きい物品（例えば、釣りの場合はクーラーケース、テニスの場合はラケット、バッグ等）を上部台板３上に分別して積載し、運搬できる。
【００６２】
そして、図４（ａ）、図５（ａ）、（ｂ）に示すように手押しハンドル５を使用時の起立した状態でも、図６（ａ）に示すように非使用時の手押しハンドル５を折りたたんだ状態でも、小さな物品は、常時、収納ケース３０に収納しておくこともできる。
【００６３】
そのため、使用前に予め又は常時、小さな物品を収納ケース３０に分別して収納しておけば、運搬用台車の使用時に、運搬用台車１にあらためて物品を分別して積載する手間が省ける。また、使用後でも、小さな物品を収納ケース３０に収納したまま、運搬用台車１自体を搬送することが可能となる。
【００６４】
従って、例えば、釣り、テニス、キャンピング等のレジャーの際に、予め小さな物品を収納ケース３０に分別して収納し、運搬用台車１ごと自動車に搭載して搬送し、レジャー目的地に到着後、あらためて小物を分別して積載することなく、手押しハンドル５を使用状態に起立して、移動し運搬することができるので、きわめて使い勝手がよい。
【００６５】
さらに、工場等の生産現場においても、小さな工具類、部品等は下部台板２上の収納ケース３０に分別して収納し、大きな工具、部品等は上部台板に積載することで、作業効率を高めることができ、非使用時にはコンパクトな収納も可能となり施設内のスペースを有効活用できる。
【００６６】
以上、本考案に係る運搬用台車を実施するための形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００６７】
本考案に係る運搬用台車は上記のような構成であるから、例えば、釣り、テニス、キャンピング等のレジャー、ホビー等、また工場のような生産現場、研究施設等でいろいろな道具、工具等を運搬するための運搬用台車等に適用可能である。
【符号の説明】
【００６８】
１  運搬用台車                                           
２  下部台板                                             
３  上部台板                                             
４  キャスタ                                             
５  手押しハンドル                                       
１０  支柱                                               
１１  手押しハンドルの左右の脚部                         
１２  手押しハンドルの把持部                             
１５  手押しハンドルの取り付け金具                       
１６  取り付け金具のブラケット                           
１７  取り付け金具の枢軸                                 
１８  取り付け金具のロックバー（ロック部材）             
１９  ブラケットの係止板                                 
２０  ブラケットの左右側壁                               
２１  ブラケットの傾斜溝                                 
２６  ロックバーの引っ張りバネ                           
３０  引き出し付きの収納ケース                             
３１  引き出し付きの収納ケースの底部                       
３２  底部に形成された凹部（凹溝）                       
３６  固定具                                             
３７  固定具の頭部                                       
４０  引き出し
４１  引き出しの底部                                         
【図１】
0003213355.tif 000003
【図２】
0003213355.tif 000004
【図３】
0003213355.tif 000005
【図４】
0003213355.tif 000006
【図５】
0003213355.tif 000007
【図６】
0003213355.tif 000008